(57)【要約】【課題】ランプ全長の異なる蛍光ランプを装着可能にして生産性の向上を図ることができるとともに汎用性を高めることができる照明器具を提供する。【解決手段】照明器具１０は、反射板１２に、ソケット１５を挿通するためのソケット挿通孔１３を有し、ソケット挿通孔１３に、蛍光ランプの軸方向の少なくとも一方を切除可能なノックアウト部２２を設けた。【選択図】図４
2011070889.tif 000002
【特許請求の範囲】
【請求項１】
反射板と、
前記反射板に保持される直管状の蛍光ランプと、
前記蛍光ランプに給電するソケットと、
を備える照明器具であって、
前記反射板は、前記ソケットを挿通するためのソケット挿通孔を有し、
前記ソケット挿通孔は、前記蛍光ランプの軸方向の少なくとも一方を切除可能なノックアウト部を設けたことを特徴とする照明器具。
【請求項２】
前記ノックアウト部は、単一の前記反射板に有する第１ノックアウト部と第２ノックアウト部からなることを特徴とする請求項１に記載した照明器具。
【請求項３】
前記ノックアウト部は、前記ソケット挿通孔の一方側に配置されており、前記ノックアウト部を切除した場合に、前記ソケット挿通孔の他方に装着されるソケットアダプタを備えていることを特徴とする請求項１または２に記載した照明器具。
【請求項４】
前記ソケットアダプタは、前記反射板とともに導電性を有し、前記ソケット挿通孔に装着されることにより前記反射板に電気接続されることを特徴とする請求項３に記載した照明器具。
【発明の詳細な説明】
【技術分野】
【０００１】
本発明は、例えば住宅や工場等の天井面に取り付けられる照明器具に関し、特に複数種類のランプ全長を有する蛍光ランプに適用される照明器具に関する。
【背景技術】
【０００２】
従来の照明器具の一例として、反射板に形成されたソケット角孔にソケットを挿入したものがある（例えば、特許文献１参照）。
【先行技術文献】
【特許文献】
【０００３】
【特許文献１】特開平６−２６７３１１号公報（図１、実施例の欄）
【発明の概要】
【発明が解決しようとする課題】
【０００４】
近年、蛍光ランプ、特に直管型の蛍光ランプの分野においては多様化が進み、それに伴い、反射板を共通として、ランプ全長の異なる、例えば１１７８ｍｍの短寸タイプや１１９８ｍｍの長寸タイプがそれぞれ製造されている。
【０００５】
ところが、上述した特許文献１に開示された従来の照明器具においては、ソケット間の長さ寸法を変更することができず、単一のランプ全長の蛍光ランプのみしか装着することができない。
従って、短寸タイプ用の反射板を装備する照明器具と長寸タイプ用の反射板を装備する照明器具とを別作成することになって部品管理に必要な工数の増大をまねいて生産性の向上を図ることができないとともに汎用性を高めることができない。
【０００６】
本発明は、前述した課題を解決するためになされたものであり、その目的は、ランプ全長の異なる蛍光ランプを装着可能にして生産性の向上を図ることができるとともに汎用性を高めることができる照明器具を提供することにある。
【課題を解決するための手段】
【０００７】
本発明に係る照明器具は、反射板と、前記反射板に保持される直管状の蛍光ランプと、前記蛍光ランプに給電するソケットと、を備える照明器具であって、前記反射板は、前記ソケットを挿通するためのソケット挿通孔を有し、前記ソケット挿通孔は、前記蛍光ランプの軸方向の少なくとも一方を切除可能なノックアウト部を設けたことを特徴とする。
【０００８】
本発明において、蛍光ランプの軸方向に反射板の端部から離れる側にノックアウト部を配置した場合、ソケット挿通孔のノックアウト部が配置されていない部分にソケットを挿通することにより、ソケットが長寸タイプの蛍光ランプに適合する。これとは異なり、蛍光ランプの軸方向に反射板の端部から離れる側のノックアウト部を切除した場合、ソケット挿通孔のノックアウト部を切除した部分にソケットを挿通することにより、ソケットが短寸タイプの蛍光ランプに適合する。
これにより、ノックアウト部を切除するかしないかの選択により、反射板を共通化して、異なるソケット位置に対応することができる。
従って、単一構造の反射板を用いてランプ全長の異なる蛍光ランプを装着可能にして生産性の向上を図ることができるとともに汎用性を高めることができる。
【０００９】
本発明に係る照明器具は、上記照明器具において、前記ノックアウト部は、単一の前記反射板に有する第１ノックアウト部と第２ノックアウト部からなることを特徴とする。
【００１０】
本発明において、蛍光ランプの軸方向に反射板の端部から離れる側に第１ノックアウト部を配置し、蛍光ランプの軸方向に反射板の端部に近い側に第２ノックアウト部を配置した場合、第２ノックアウト部を残して、蛍光ランプの軸方向に反射板の端部から離れる側の第１ノックアウト部を切除して、切除された第１ノックアウト部の空間にソケットを挿通することにより、ソケットが短寸タイプの蛍光ランプに適合する。これとは異なり、第１ノックアウト部を残して、蛍光ランプの軸方向に反射板の端部に近い側の第２ノックアウト部を切除して、切除された第２ノックアウト部の空間にソケットを挿通することにより、ソケットが長寸タイプの蛍光ランプに適合する。
これにより、いずれかのノックアウト部を切除することにより、反射板を共通化して、異なるソケット位置に対応することができる。
従って、単一構造の反射板を用いてランプ全長の異なる蛍光ランプを装着可能にして生産性の向上を図ることができるとともに汎用性を高めることができる。
【００１１】
本発明に係る照明器具は、上記照明器具において、前記ノックアウト部は、前記ソケット挿通孔の一方側に配置されており、前記ノックアウト部を切除した場合に、前記ソケット挿通孔の他方に装着されるソケットアダプタを備えていることを特徴とする。
【００１２】
本発明において、蛍光ランプの軸方向に反射板の端部から離れる一方側にノックアウト部を配置した場合、ノックアウト部を切除し、ソケット挿通孔のノックアウト部が切除された部分にソケットを挿通することにより、ソケットが短寸タイプの蛍光ランプに適合する。このとき、蛍光ランプの軸方向に反射板の端部に近い他方側にソケットアダプタが装着される。
これにより、ソケットアダプタにより、蛍光ランプの軸方向に反射板の端部に近い他方側の空間を覆うことにより、空間が露出されない。
従って、外観性の向上を図ることができる。
【００１３】
本発明に係る照明器具は、上記照明器具において、前記ソケットアダプタは、前記反射板とともに導電性を有し、前記ソケット挿通孔に装着されることにより前記反射板に電気接続されることを特徴とする。
【００１４】
本発明において、蛍光ランプの軸方向に反射板の端部から離れる一方側にノックアウト部を配置した場合、ノックアウト部を切除し、ソケット挿通孔のノックアウト部が切除された部分にソケットを挿通することにより、ソケットが短寸タイプの蛍光ランプに適合する。このとき、蛍光ランプの軸方向に反射板の端部に近い他方側でソケットアダプタが反射板に電気接続される。
これにより、ソケットアダプタと反射板とが導通される。
従って、ソケットアダプタによりアース導通を確保することができる。
【発明の効果】
【００１５】
本発明の照明器具によれば、反射板は、ソケット挿通孔に、蛍光ランプの軸方向の少なくとも一方を切除可能なノックアウト部を設けた。
これにより、ランプ全長の異なる蛍光ランプを装着可能にして生産性の向上を図ることができるとともに汎用性を高めることができるという効果を有する。
【図面の簡単な説明】
【００１６】
【図１】本発明に係る第１実施形態の照明器具の斜め下方から視た外観斜視図
【図２】図１の照明器具の斜め上方から視た外観斜視図
【図３】図１の照明器具における長寸タイプの蛍光ランプを装着する場合のソケット装着前のソケット挿通孔周りの斜め下方から視た外観斜視図
【図４】図３の照明器具のソケット装着後の斜め下方から視た外観斜視図
【図５】図１の照明器具における短寸タイプの蛍光ランプを装着する場合のソケット装着前のソケット挿通孔周りの斜め下方から視た外観斜視図
【図６】図５の照明器具のソケットアダプタ装着前の斜め下方から視た外観斜視図
【図７】図６のソケットアダプタの斜め上方から視た外観斜視図
【図８】図５の照明器具のソケットアダプタ装着後の斜め下方から視た外観斜視図
【図９】図５の照明器具のソケットアダプタ装着後の斜め上方から視た外観斜視図
【図１０】図９のソケットアダプタの垂直断面図
【図１１】図５の照明器具のソケット装着後の斜め下方から視た外観斜視図
【図１２】本発明に係る第２実施形態の照明器具の斜め下方から視た部分外観斜視図
【図１３】本発明に係る第３実施形態の照明器具の斜め下方から視た部分外観斜視図
【発明を実施するための形態】
【００１７】
以下、本発明の複数の実施形態に係る照明器具について図面を参照して説明する。
【００１８】
（第１実施形態）
本発明の第１実施形態である照明器具１０は、器具本体１１と、一対のソケット挿通孔１３を有する反射板１２と、光源であり反射板１２に保持される一対の直管型の蛍光ランプ１４と、蛍光ランプ１４に給電するための二対のソケット１５と、一対のソケットアダプタ１６とを備えて、不図示の天井面に取り付けられる。
【００１９】
図１、図２に示すように、器具本体１１は、比較的薄い導電性を有する金属製板部材を用いて垂直断面視コ字形状に形成されており、その長手方向の２か所に反射板取付部材１７をそれぞれ有する。反射板取付部材１７は反射板１２の上部に固定されている。
【００２０】
器具本体１１には、不図示の安定器や電源端子台が収容されている。電源端子台には、天井面から引き込まれた電源線が接続され、電源端子台から安定器を通じてソケット１５に不図示の器具電線が接続される。
【００２１】
器具本体１１は、その両端部に一対のソケット台１８を有し、ソケット台１８にソケット１５を下方に向けて突出して組付けている。
【００２２】
反射板１２は、器具本体１１と同等の導電性を有する金属製板部材により成形されており、天板１９と、一対の対向する端板２０と、一対の対向する側板２１とを有して下方を開放している。
【００２３】
反射板１２は、天板１９の端板２０寄りに二対のソケット挿通孔１３を貫通形成している。
【００２４】
図３に示すように、ソケット挿通孔１３は、蛍光ランプ１４の軸方向に反射板１２の端板２０から離れる一方側に、指で毟る等することにより反射板１２から切除可能なノックアウト部２２を有する。
【００２５】
ソケット挿通孔１３は、ノックアウト部２２により、ほぼ半分よりもわずかに小さいものとして予め定められた範囲を閉塞されており、ノックアウト部２２のない部分が空間部２３になっている。
【００２６】
次に、長寸タイプの蛍光ランプ１４に適合させる場合について説明する。
【００２７】
蛍光ランプ１４の軸方向に反射板１２の端板２０から離れる一方側のノックアウト部２２を切除せずに、ノックアウト部２２のない空間部２３に上方からソケット１５を挿通させる。
【００２８】
これにより、各ソケット１５が長寸タイプの蛍光ランプ１４のランプ全長Ｌ１に対応する位置に配置される。
【００２９】
次に、短寸タイプの蛍光ランプ１４に適合させる場合について説明する。
【００３０】
まず、蛍光ランプ１４の軸方向に反射板１２の端板２０から離れる一方側のノックアウト部２２を切除する。
【００３１】
これにより、ノックアウト部２２が切除された空間部２４と空間部２３とが加算される。
【００３２】
図６、図７に示すように、このとき、ソケットアダプタ１６が適用される。ソケットアダプタ１６は、器具本体１１および反射板１２と同等の導電性を有する金属製板部材により成形されている。
【００３３】
ソケットアダプタ１６は、ソケット挿通孔１３の幅寸法Ｌ２よりもわずかに大きい幅寸法Ｌ３を有し、ソケット挿通孔１３の長さ寸法Ｌ４のほぼ半分よりも小さい長さ寸法Ｌ５を有する。ソケットアダプタ１６は、幅方向の両側端部に、上方に向けて突出した一対の導通爪２５を形成している。
【００３４】
図８に示すように、ソケットアダプタ１６は、反射板１２の下方から、蛍光ランプ１４の軸方向に反射板１２の端板２０に近い他方側に向けて進行されていき、ソケット挿通孔１３の側部に一対の導通爪２５をそれぞれ内嵌させる。
【００３５】
図９に示すように、導通爪２５をソケット挿通孔１３の側部にそれぞれ内嵌させたソケットアダプタ１６は、導通爪２５をそれぞれ外方に折り曲げ成形される。
【００３６】
図１０に示すように、このとき、反射板１２は、ソケット挿通孔１３の両側部のソケットアダプタ１６を装着する部位に凹状のテーパ付切り込み部２６をそれぞれ形成している。
【００３７】
そのため、導通爪２５をそれぞれ外方に折り曲げ成形されたソケットアダプタ１６は、導通爪２５の縁部が反射板１２のテーパ付切り込み部２６にそれぞれ食い込む。
これにより、ソケットアダプタ１６は反射板１２に電気接続される。なお、導通を不要とする場合、ソケットアダプタ１６を金属製に代えて樹脂製としても良い。
【００３８】
図１１に示すように、ソケットアダプタ１６は、蛍光ランプ１４の軸方向に反射板１２の端板２０から離れる一方側に、ノックアウト部２２により閉塞されていた範囲よりもわずかに大きい空間部２７を形成する。そして、この空間部２７に上方からソケット１５を挿通させる。
【００３９】
これにより、各ソケット１５が短寸タイプの蛍光ランプ１４のランプ全長Ｌ６に対応する位置に配置される。
【００４０】
以上説明してきたように、本発明の第１実施形態の照明器具１０では、蛍光ランプ１４の軸方向に反射板１２の端板２０から離れる側にノックアウト部２２を配置した場合、ソケット挿通孔１３のノックアウト部２２が配置されていない部分にソケット１５を挿通することにより、ソケット１５が長寸タイプの蛍光ランプ１４に適合する。これとは異なり、蛍光ランプ１４の軸方向に反射板１２の端板２０から離れる側のノックアウト部２２を切除した場合、ソケット挿通孔１３のノックアウト部２２を切除した部分にソケット１５を挿通することにより、ソケット１５が短寸タイプの蛍光ランプ１４に適合する。
これにより、ノックアウト部２２を切除するかしないかの選択により、反射板１２を共通化して、異なるソケット位置に対応することができる。
従って、単一構造の反射板１２を用いてランプ全長の異なる蛍光ランプ１４を装着可能にして生産性の向上を図ることができるとともに汎用性を高めることができる。
【００４１】
本発明の第１実施形態の照明器具１０では、蛍光ランプ１４の軸方向に反射板１２の端板２０から離れる一方側にノックアウト部２２を配置した場合、ノックアウト部２２を切除し、ソケット挿通孔１３のノックアウト部２２が切除された部分にソケット１５を挿通することにより、ソケット１５が短寸タイプの蛍光ランプ１４に適合する。このとき、蛍光ランプ１４の軸方向に反射板１２の端板２０に近い他方側にソケットアダプタ１６が装着される。
これにより、ソケットアダプタ１６により、蛍光ランプ１４の軸方向に反射板１２の端板２０に近い他方側の空間を覆うことにより、空間が露出されない。
従って、外観性の向上を図ることができる。
【００４２】
本発明の第１実施形態の照明器具１０では、蛍光ランプ１４の軸方向に反射板１２の端板２０から離れる一方側にノックアウト部２２を配置した場合、ノックアウト部２２を切除し、ソケット挿通孔１３のノックアウト部２２が切除された部分にソケット１５を挿通することにより、ソケット１５が短寸タイプの蛍光ランプ１４に適合する。このとき、蛍光ランプ１４の軸方向に反射板１２の端板２０に近い他方側でソケットアダプタ１６が反射板１２に電気接続される。
これにより、ソケットアダプタ１６と反射板１２とが導通される。
従って、ソケットアダプタ１６によりアース導通を確保することができる。
【００４３】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４４】
図１２に示すように、本発明の第２実施形態の照明器具３０は、第１ノックアウト部３１と第２ノックアウト部３２とを、ソケット挿通孔１３を二分するものとして切除可能に設けている。
【００４５】
第１ノックアウト部３１は、蛍光ランプ１４の軸方向に反射板１２の端板２０から離れる側に配置されてランナ３３を介して反射板１２に接続されている。
【００４６】
第２ノックアウト部３２は、蛍光ランプ１４の軸方向に反射板１２の端板２０に近い側に配置されてランナ３４を介して反射板１２に接続されている。
【００４７】
本発明の第２実施形態の照明器具３０では、第２ノックアウト部３２を残して、蛍光ランプ１４の軸方向に反射板１２の端板２０から離れる側の第１ノックアウト部３１を切除して、切除された第１ノックアウト部３１の空間にソケット１５を挿通することにより、ソケット１５が短寸タイプの蛍光ランプ１４に適合する。これとは異なり、第１ノックアウト部３１を残して、蛍光ランプ１４の軸方向に反射板１２の端板２０に近い側の第２ノックアウト部３２を切除して、切除された第２ノックアウト部３２の空間にソケット１５を挿通することにより、ソケット１５が長寸タイプの蛍光ランプ１４に適合する。
これにより、いずれかのノックアウト部３１，３２を切除することにより、反射板１２を共通化して、異なるソケット位置に対応することができる。
従って、単一構造の反射板１２を用いてランプ全長の異なる蛍光ランプ１４を装着可能にして生産性の向上を図ることができるとともに汎用性を高めることができる。
【００４８】
（第３実施形態）
次に、本発明の第３実施形態の照明器具について説明する。
【００４９】
図１３に示すように、本発明の第３実施形態の照明器具４０は、第１ノックアウト部４１と第２ノックアウト部４２とを、共通空間４３を介してソケット挿通孔１３に切除可能に設けている。
【００５０】
第１ノックアウト部４１は、蛍光ランプ１４の軸方向に反射板１２の端板２０から離れる側に配置されてランナ４４を介して反射板１２に接続されている。
【００５１】
第１ノックアウト部４１は、反射板１２から切除されることにより、蛍光ランプ１４の軸方向に反射板１２の端板２０から離れる一方側に、共通空間４３を加算した長さ寸法Ｌ７の空間を創生する。
【００５２】
第２ノックアウト部４２は、蛍光ランプ１４の軸方向に反射板１２の端板２０に近い側に配置されてランナ４５を介して反射板１２に接続されている。
【００５３】
第２ノックアウト部４１は、反射板１２から切除されることにより、蛍光ランプ１４の軸方向に反射板１２の端板２０に近い他方側に、共通空間４３を加算した長さ寸法Ｌ８の空間を創生する。
【００５４】
本発明の第３実施形態の照明器具４０では、第２ノックアウト部４２を残して、蛍光ランプ１４の軸方向に反射板１２の端板２０から離れる側の第１ノックアウト部４１を切除して、切除された第１ノックアウト部４１と共通空間４３との合算空間にソケット１５を挿通することにより、ソケット１５が短寸タイプの蛍光ランプ１４に適合する。これとは異なり、第１ノックアウト部４１を残して、蛍光ランプ１４の軸方向に反射板１２の端板２０に近い側の第２ノックアウト部４２を切除して、切除された第２ノックアウト部４２と共通空間４３との合算空間にソケット１５を挿通することにより、ソケット１５が長寸タイプの蛍光ランプ１４に適合する。
これにより、いずれかのノックアウト部４１，４２を切除することにより、反射板１２を共通化して、異なるソケット位置に対応することができる。
従って、単一構造の反射板１２を用いてランプ全長の異なる蛍光ランプ１４を装着可能にして生産性の向上を図ることができるとともに汎用性を高めることができる。
【００５５】
なお、前記実施形態で使用した器具本体１１、蛍光ランプ１４、ソケット１５等は例示したものに限定するものではなく適宜変更が可能である。
【符号の説明】
【００５６】
１０、３０、４０  照明器具
１２  反射板
１３  ソケット挿通孔
１４  蛍光ランプ
１５  ソケット
１６  ソケットアダプタ
２２  ノックアウト部
３１、４１  第１ノックアウト部（ノックアウト部）
３２、４２  第２ノックアウト部（ノックアウト部）
【図１】
2011070889.tif 000003
【図２】
2011070889.tif 000004
【図３】
2011070889.tif 000005
【図４】
2011070889.tif 000006
【図５】
2011070889.tif 000007
【図６】
2011070889.tif 000008
【図７】
2011070889.tif 000009
【図８】
2011070889.tif 000010
【図９】
2011070889.tif 000011
【図１０】
2011070889.tif 000012
【図１１】
2011070889.tif 000013
【図１２】
2011070889.tif 000014
【図１３】
2011070889.tif 000015